(57)【要約】【課題】入出場を高精度でチェックできる券媒体を発券できる発券機、券媒体による入出場を高精度でチェックできる入場処理機、出場処理機並びに券処理システム、及び、入出場を高精度でチェックできる券媒体を提供する。【解決手段】  実施形態によれば、発券機は、設定部と、生成部と、コード印刷処理部と、を備える。設定部は、券情報を設定する。生成部は、前記券情報をコード化した第１のコードを生成する。コード印刷処理部は、券媒体に対して、前記第１のコードと異なる入場情報をコード化した第２のコードが印刷可能な印刷領域を設け、前記印刷領域以外の領域に前記第１のコードを印刷する。【選択図】図１
2017162008.tif 000002
【特許請求の範囲】
【請求項１】
券情報を設定する設定部と、
前記券情報をコード化した第１のコードを生成する生成部と、
券媒体に対して、前記第１のコードと異なる入場情報をコード化した第２のコードが印刷可能な印刷領域を設け、前記印刷領域以外の領域に前記第１のコードを印刷するコード印刷処理部と、
を備える発券機。
【請求項２】
前記コード印刷処理部は、前記第１のコードを不可視光で読み取り可能となる材料で印刷する、
前記請求項１に記載の発券機。
【請求項３】
前記券情報の少なくとも一部を示す文字情報を前記券媒体に印刷する文字印刷処理部を備え、
前記コード印刷処理部は、少なくとも一部の前記文字情報上に前記第１のコードを印刷する、
前記請求項１又は２の何れかに記載の発券機。
【請求項４】
前記第１のコード及び前記第２のコードは、二次元コードである、
前記請求項１乃至３の何れか１項に記載の発券機。
【請求項５】
前記券情報は、乗車券情報を含む、
前記請求項１乃至４の何れか１項に記載の発券機。
【請求項６】
券媒体における第１の領域から券情報をコード化した第１のコードを読み取る読取部と、
前記読取部により読み取った前記第１のコードをデコードした情報に基づいて入場処理を行う入場処理部と、
前記入場処理部による入場処理に関する入場情報をコード化した第２のコードを生成する生成部と、
前記券媒体における前記第１の領域とは異なる第２の領域に前記生成部が生成した前記第２のコードを印刷するコード印刷処理部と、
を備える入場処理機。
【請求項７】
前記読取部は、不可視光を用いて第１のコードを読み取り、
前記コード印刷処理部は、前記第２のコードを可視光で読み取り可能な材料で印刷する、
前記請求項６に記載の入場処理機。
【請求項８】
前記券媒体が投入される投入部と、
前記投入部に投入された前記券媒体を搬送する搬送部と、
を備え、
前記読取部は、前記搬送部が搬送する前記券媒体から前記第１のコードを読み取る、
前記請求項６又は７に記載の入場処理機。
【請求項９】
前記第１のコード及び前記第２のコードは、二次元コードである、
前記請求項６乃至８の何れか１項に記載の入場処理機。
【請求項１０】
前記券情報は、乗車券情報を含む、
前記請求項６乃至９の何れか１項に記載の入場処理機。
【請求項１１】
第１のコードが印刷される第１の領域と、前記第１のコードと異なる入場情報をコード化した第２のコードが印刷される前記第１の領域とは異なる第２の領域と、を備える券媒体から、少なくとも前記第２のコードを読み取る読取部と、
前記読取部により読み取った前記第２のコードをデコードした情報に基づいて出場処理を行う出場処理部と、
を備える出場処理機。
【請求項１２】
前記読取部は、可視光を用いて前記券媒体から前記第２のコードを読み取る、
前記請求項１１に記載の出場処理機。
【請求項１３】
前記券媒体を投入される投入部と、
前記投入部に投入された前記券媒体を搬送する搬送部と、
を備え、
前記読取部は、前記搬送部が搬送する前記券媒体から前記第２のコードを読み取る、
前記請求項１１又は１２に記載の出場処理機。
【請求項１４】
前記第１のコード及び第２のコードは、二次元コードである、
前記請求項１１乃至１３の何れか１項に記載の出場処理機。
【請求項１５】
入場処理機と、出場処理機とを備える券処理システムであって、
前記入場処理機は、
外部装置と通信する第１の通信部と、
券媒体における第１の領域から券情報及び券ＩＤをコード化した第１のコードを読み取る第１の読取部と、
前記第１の通信部を通じて、前記第１のコードの前記券ＩＤを用いて前記券媒体の状態を問い合わせる第１の問い合わせ部と、
前記券媒体の状態が発券済みである場合に、前記第１の読取部により読み取った前記第１のコードをデコードした情報に基づいて入場処理を行う入場処理部と、
前記入場処理部による入場処理に関する入場情報をコード化した第２のコードを生成する生成部と、
前記券媒体における前記第１の領域とは異なる第２の領域に前記生成部が生成した前記第２のコードを印刷するコード印刷処理部と、
入場処理部が前記入場処理に成功した場合、前記第１の通信部を通じて、前記券ＩＤを入場処理済みの券媒体を示す券ＩＤとして前記外部装置に送信する送信処理部と、
を備え、
前記出場処理機は、
前記外部装置と通信する第２の通信部と、
前記券媒体から少なくとも前記第２のコードを読み取る第２の読取部と、
前記第２の通信部を通じて、前記第２のコードの前記券ＩＤを用いて前記券ＩＤの状態を問い合わせる第２の問い合わせ部と、
前記券媒体の状態が入場処理済みである場合に、前記第２の読取部により読み取った前記第２のコードをデコードした情報に基づいて出場処理を行う出場処理部と、
を備える、
券処理システム。
【請求項１６】
入場又は出場の可否を判定するための情報が印刷される券媒体であって、
券情報をコード化した第１のコードが印刷された第１の領域と、
入場処理機により入場情報をコード化した第２のコードが印刷される前記第１の領域とは異なる第２の領域と、を有する、
券媒体。
【請求項１７】
前記第２の領域は、印刷された前記第２のコードを有する、
前記請求項１６に記載の券媒体。
【請求項１８】
前記第１のコードは、不可視光で読み取り可能となる材料で印刷される、
前記請求項１６又は１７に記載の券媒体。
【請求項１９】
前記第２のコードは、可視光で読み取り可能な材料で印刷される、
前記請求項１６乃至１８の何れか１項に記載の券媒体。
【請求項２０】
前記第１のコード及び前記第２のコードは、二次元コードである、
前記請求項１６乃至１９の何れか１項に記載の券媒体。
【請求項２１】
前記券情報は、乗車券情報を含む、
前記請求項１６乃至２０の何れか１項に記載の券媒体。
【発明の詳細な説明】
【技術分野】
【０００１】
本発明の実施形態は、発券機、入場処理機、出場処理機、券処理システム及び券媒体に関する。
【背景技術】
【０００２】
二次元コードなどが印刷された券媒体を用いる改札機は、通常、利用者が翳す券媒体から二次元コードを読み取り、読み取った二次元コードをデコードして改札処理を行う。そのため、改札機は、入場時において、入場情報などを利用者が所持する券媒体に書き込むことができない。その結果、改札機は、出場時などにおいて、処理する券媒体が適切に入場処理を経た券媒体であるかをチェックすることができないという課題がある。
【先行技術文献】
【特許文献】
【０００３】
【特許文献１】特開２０１５−１７６３１３号公報
【発明の概要】
【発明が解決しようとする課題】
【０００４】
上記の課題を解決するために、入出場を高精度でチェックできる券媒体を発券できる発券機、券媒体による入出場を高精度でチェックできる入場処理機、出場処理機並びに券処理システム、及び、入出場を高精度でチェックできる券媒体を提供する。
【課題を解決するための手段】
【０００５】
実施形態によれば、発券機は、設定部と、生成部と、コード印刷処理部と、を備える。設定部は、券情報を設定する。生成部は、前記券情報をコード化した第１のコードを生成する。コード印刷処理部は、券媒体に対して、前記第１のコードと異なる入場情報をコード化した第２のコードが印刷可能な印刷領域を設け、前記印刷領域以外の領域に前記第１のコードを印刷する。
【図面の簡単な説明】
【０００６】
【図１】図１は、第１の実施形態に係る処理システムの構成例を示すブロック図である。
【図２】図２は、第１の実施形態に係る発券機の構成例を示す図である。
【図３】図３は、第１の実施形態に係る入場処理機の構成例を示す図である。
【図４】図４は、第１の実施形態に係る出場処理機の構成例を示す図である。
【図５】図５は、第１の実施形態に係る券媒体の構成例を示す図である。
【図６】図６は、第１の実施形態に係る券媒体の構成例を示す図である。
【図７】図７は、第１の実施形態に係る発券機の動作例を説明するためのフローチャートである。
【図８】図８は、第１の実施形態に係る入場処理機の動作例を説明するためのフローチャートである。
【図９】図９は、第１の実施形態に係る出場処理機の動作例を説明するためのフローチャートである。
【図１０】図１０は、第２の実施形態に係る処理システムの構成例を示すブロック図である。
【図１１】図１１は、第２の実施形態に係る発券機の動作例を説明するためのフローチャートである。
【図１２】図１２は、第２の実施形態に係る入場処理機の動作例を説明するためのフローチャートである。
【図１３】図１３は、第２の実施形態に係る出場処理機の動作例を説明するためのフローチャートである。
【発明を実施するための形態】
【０００７】
以下、図面を参照しながら実施形態について説明する。  
（第１実施形態）
まず、第１実施形態について説明する。  
第１実施形態に係る券処理システムは、二次元コードなどのコードが印刷された券媒体を処理する。券処理システムは、利用者に対して種々の券媒体を発券し、利用者が所持する券媒体を用いて入出場処理を行う。
【０００８】
たとえば、券処理システムは、駅などにおいて、券媒体として乗車券情報を示すコードが印刷された乗車券を処理する。また、券処理システムは、券媒体としてテーマパーク又は映画館などのチケットを処理するものであってもよい。券処理システムが用いられる用途及び券媒体の内容は、特定の構成に限定されるものではない。
【０００９】
ここでは、券処理システムは、駅などにおいて、乗車券情報などを示すコードが印刷された乗車券を処理するシステムを想定して説明する。
【００１０】
図１は、実施形態に係る処理システム１（券処理システム）の構成例を示すブロック図である。  
図１が示すように、処理システム１は、券媒体１０、発券機１００、入場処理機２００及び出場処理機３００などを備える。
【００１１】
券媒体１０は、乗車券情報を示すコードなどを有する。  
発券機１００は、乗車券情報などを示すコードが印刷された券媒体１０を発券する。ここでは、発券機１００は、自動券売機として用いられる。発券機１００は、利用者又は係員などの操作に基づいて、乗車券又は特急券などとして券媒体１０を発券する。
【００１２】
入場処理機２００は、券媒体１０からコードを読み取り、読み取ったコードをデコードし、データを取得する。入場処理機２００は、デコードして得られたデータに基づいて入場処理を実行する。ここでは、入場処理機２００は、自動改札機として用いられる。たとえば、入場処理機２００は、券媒体１０からコードを読み取り、コードをデコードして乗車券情報を取得する。入場処理機２００は、得られた乗車券情報に基づいて入場処理を行う。
【００１３】
出場処理機３００は、券媒体１０からコードを読み取り、読み取ったコードをデコードし、データを取得する。出場処理機３００は、デコードして得られたデータに基づいて出場処理を実行する。ここでは、出場処理機３００は、自動改札機として用いられる。
【００１４】
次に、発券機１００の構成例について説明する。  
図２は、実施形態に係る発券機１００の構成例を示すブロック図である。  
図２が示すように、発券機１００は、制御部１１１、通信部１１２、表示部１１３、操作部１１４、磁気券処理部１１５、カードリーダライタ１１６、金額処理部１１７、収容部１１８、搬送部１１９、文字印刷部１２０、コード印刷部１２１、読取部１２２、及び、排出部１２３などを備える。制御部１１１は、データバスなどを介して、通信部１１２、表示部１１３、操作部１１４、磁気券処理部１１５、カードリーダライタ１１６、金額処理部１１７、収容部１１８、搬送部１１９、文字印刷部１２０、コード印刷部１２１、読取部１２２、及び、排出部１２３と通信可能に接続する。
【００１５】
図１が示すように、搬送部１１９が券媒体１０を搬送する方向に、文字印刷部１２０、コード印刷部１２１、読取部１２２、及び、排出部１２３の順にそれぞれ設置される。
【００１６】
制御部１１１は、発券機１００全体の動作を制御する機能を有する。制御部１１１は、ＣＰＵ、ＲＯＭ、ＲＡＭ及びＮＶＭなどから構成される。制御部１１１は、内部メモリ、ＲＯＭあるいはＮＶＭに予め記憶したプログラムを実行することにより種々の処理を実現する。
【００１７】
ＲＯＭは、予め制御用のプログラム及び制御データなどが記憶された不揮発性のメモリである。ＲＯＭに記憶される制御プログラム及び制御データは、予め発券機１００の仕様に応じて組み込まれる。ＲＯＭは、たとえば、発券機１００の回路基板を制御するプログラム（例えば、ＢＩＯＳ）などを格納する。
【００１８】
ＲＡＭは、揮発性のメモリである。ＲＡＭは、制御部１１１の処理中のデータなどを一時的に格納する。ＲＡＭは、制御部１１１からの命令に基づき種々のアプリケーションプログラムを格納する。また、ＲＡＭは、アプリケーションプログラムの実行に必要なデータ及びアプリケーションプログラムの実行結果などを格納してもよい。
【００１９】
ＮＶＭは、データの書き込み及び書き換えが可能な不揮発性のメモリである。ＮＶＭは、例えばＥＥＰＲＯＭ（登録商標）（Electric Erasable Programmable Read-Only Memory）、ＨＤＤ（Hard Disc Drive）、又は、ＳＳＤ（Solid State Drive）などである。ＮＶＭ２４は、発券機１００の運用用途に応じて制御プログラム、アプリケーション、及び種々のデータを格納する。また、ＮＶＭは、制御部１１１が種々の処理を実行することで生成したデータを保存する。
【００２０】
通信部１１２は、上位装置としての管理サーバなどとの通信を行うインターフェースである。  
表示部１１３は、制御部１１１からの信号に基づいて種々の情報を表示する。たとえば、表示部１１３は、乗車券情報を選択するアイコンなどを表示してもよい。表示部１１３は、たとえば、液晶ディスプレイなどである。
【００２１】
操作部１１４は、発券機１００の操作者によって、種々の操作が入力される。たとえば、操作部１１４は、乗車券情報を設定し券媒体１０を発券させる発券操作の入力を受け付ける。操作部１１４は、操作者に入力された指示のデータを制御部１１１へ送信する。操作部１１４は、たとえば、キーボード、テンキー、及び、タッチパネルなどである。
【００２２】
なお、表示部１１３と操作部１１４とは、一体的に形成されてもよい。即ち、表示部１１３は、指示を入力するためのアイコンを表示し、操作部１１４は、アイコンへのタッチを検出することで操作の入力を受け付けてもよい。
【００２３】
磁気券処理部１１５は、磁気定期券に記録されている磁気情報を読み取り、又は、磁気定期券に磁気情報を書き込む。  
カードリーダライタ１１６は、ＩＣカードに記録されている情報を読み取り、又は、ＩＣカードに情報を書き込む。
【００２４】
金額処理部１１７は、駅の係員が投入した現金あるいは金額カード（プリペイドカードやクレジットカード）を処理する。たとえば、金額処理部１１７は、駅の係員が投入した現金を集計し、駅の係員が投入した現金の金額を決定する。また、金額処理部１１７は、釣銭を放出する機能を有する。たとえば、金額処理部１１７は、制御部１１１からの命令に基づいて、釣銭を放出する。
【００２５】
収容部１１８は、券媒体１０を構成する券紙１１８ａを収容し、収容した券紙１１８ａを供給する。収容部１１８は、券紙１１８ａをロール状に収容する。収容部１１８は、ロール状の券紙１１８ａを支える軸、及び券紙１１８ａを送り出して供給する搬送ローラなどを備えてもよい。たとえば、収容部１１８は、制御部１１１からの信号に基づいて軸又は搬送ローラなどを回転させ、券紙１１８ａを搬送する。
【００２６】
また、収容部１１８は、券紙１１８ａを券媒体１０に切り出すカット部を備える。カット部は、所定の位置まで搬送された券紙１１８ａの先端をカットする。収容部１１８は、カットされた券紙１１８ａ（券媒体１０）を搬送部１１９まで搬送してもよい。
【００２７】
搬送部１１９は、発券機１００内で収容部１１８が切り出した券媒体１０を搬送する。たとえば、搬送部１１９は、券媒体１０を収容部１１８から、文字印刷部１２０、コード印刷部１２１、読取部１２２、及び、排出部１２３へ搬送する。
【００２８】
文字印刷部１２０は、制御部１１１の制御に基づいて、券媒体１０に、視認可能な文字情報を印刷する。たとえば、文字印刷部１２０は、券媒体１０を加熱することで券媒体１０に文字を形成する。
【００２９】
コード印刷部１２１は、制御部１１１の制御に基づいて、券媒体１０に、コードを印刷する。ここでは、コード印刷部１２１は、コードとして二次元コードを印刷する。二次元コードは、たとえば、ＱＲコード（登録商標）などである。コード印刷部１２１が印刷するコードは、特定の構成に限定されるものではない。
【００３０】
コード印刷部１２１は、所定のインクを用いて券媒体１０にコードを印刷する。たとえば、コード印刷部１２１は、インクジェットヘッドを備える。コード印刷部１２１は、インクジェットヘッドからインクを券媒体１０に吐出することでコードを印刷する。
【００３１】
また、コード印刷部１２１は、インクとして、所定の不可視光で読み取ることが可能なインク（材料）を用いる。即ち、コード印刷部１２１は、所定の不可視光で読取可能なコードを券媒体１０に印刷する。たとえば、コード印刷部１２１は、紫外線照射により読取可能な蛍光インクを用いる。
【００３２】
読取部１２２は、搬送部１１９が搬送する券媒体１０からコードを読み取る。即ち、読取部１２２は、搬送部１１９の搬送路上で券媒体１０からコードを読み取る。ここでは、読取部１２２は、コードとして、二次元コードを読み取る。読取部１２２は、たとえば、光を媒体に照射して反射光を取得することで、券媒体１０からコードを読み取る。
【００３３】
読取部１２２は、不可視光を用いてコードを読み取る。たとえば、読取部１２２は、所定の不可視光を券媒体１０に照射してコードを読み取る。たとえば、読取部１２２は、コードを読み取るためのカメラ及び／又は照明などを備える。
【００３４】
読取部１２２は、読み取ったコードをデコードして、コードデータを取得する。読取部１２２は、取得されたコードデータを制御部１１１へ送信する。
【００３５】
排出部１２３は、券媒体１０を利用者へ提供する。即ち、排出部１２３は、利用者が取得可能なように券媒体１０を露出させる。たとえば排出部１２３は、外部に露出する受け皿、及び、搬送部１１９と受け皿との間に設置されるシャッタなどを備えてもよい。
【００３６】
なお、発券機１００は、上述した構成以外の構成要素を適宜追加しても良いし、特定の構成を除外してもよい。
【００３７】
次に、入場処理機２００の構成例について説明する。  
図３は、実施形態に係る入場処理機２００の構成例を示すブロック図である。  
図３が示すように、入場処理機２００は、制御部２１１、通信部２１２、表示部２１３、磁気券処理部２１４、カードリーダライタ２１５、ドア機構２１６、人感センサ２１７、投入部２１８、搬送部２１９、読取部２２０、コード印刷部２２１及び放出部２２２などを備える。制御部２１１は、データバスなどを介して、通信部２１２、表示部２１３、磁気券処理部２１４、カードリーダライタ２１５、ドア機構２１６、人感センサ２１７、投入部２１８、搬送部２１９、読取部２２０、コード印刷部２２１及び放出部２２２と通信可能に接続する。
【００３８】
図１が示すように、搬送部２１９が券媒体１０を搬送する方向に、読取部２２０、コード印刷部２２１、及び、放出部２２２の順にそれぞれ設置される。  
制御部２１１は、入場処理機２００全体の動作を制御する機能を有する。制御部２１１は、ＣＰＵ、ＲＯＭ、ＲＡＭ及びＮＶＭなどから構成される。制御部２１１は、内部メモリ、ＲＯＭあるいはＮＶＭに予め記憶したプログラムを実行することにより種々の処理を実現する。
【００３９】
通信部２１２は、上位装置としての管理サーバなどとの通信を行うインターフェースである。  
表示部２１３は、制御部２１１からの信号に基づいて種々の情報を表示する。たとえば、表示部２１３は、通行の可否、又は、読み取りエラーなどのエラーメッセージなどを表示してもよい。表示部２１３は、たとえば、液晶ディスプレイなどである。
【００４０】
磁気券処理部２１４は、磁気定期券に記録されている磁気情報を読み取り、又は、磁気定期券に磁気情報を書き込む。  
カードリーダライタ２１５は、ＩＣカードに記録されている情報を読み取り、又は、ＩＣカードに情報を書き込む。
【００４１】
ドア機構２１６は、入場処理機２００を通過する利用者を制御するために設けられているドアである。ドア機構２１６は、入場処理機２００が形成する通行路側に設けられる。ドア機構２１６は、制御部２１１の制御に従って、通行不可と判定された利用者の通行を阻止する。
【００４２】
人感センサ２１７は、入場処理機２００が形成する通行路に利用者が進入したことを検知するセンサである。たとえば、人感センサ２１７は、通行路の所定の位置（たとえば、通行路の中腹部）に利用者が侵入すると利用者を検知する。たとえば、人感センサ２１７は、赤外線の遮断を検出して、利用者の進入を検知する。人感センサ２１７が利用者の進入を検知する方法は、特定の方法に限定されるものではない。
【００４３】
投入部２１８は、利用者が券媒体１０を投入する投入口である。たとえば、投入部２１８は、搬送部２１９に接続する投入孔、及び、投入孔と搬送部２１９とを遮断するシャッタなどを備える。
【００４４】
搬送部２１９は、入場処理機２００内において投入部２１８に投入された券媒体１０を搬送する。たとえば、搬送部２１９は、券媒体１０を投入部２１８から、読取部２２０、コード印刷部２２１、及び、放出部２２２へ搬送する。
【００４５】
読取部２２０は、搬送部２１９が搬送する券媒体１０からコードを読み取る。読取部２２０は、読取部２２０ａ及び読取部２２０ｂから構成される。読取部２２０ａ及び読取部２２０ｂは、搬送部２１９の搬送路を挟んで互いに対向する位置に配置される。読取部２２０ａは、搬送部２１９の搬送路上において券媒体１０の所定の面からコードを読み取る。また、読取部２２０ｂは、搬送部２１９の搬送路上において券媒体１０の他の面からコードを読み取る。読取部２２０ａ及び読取部２２０ｂは、読取部１２２と同様の構成である。
【００４６】
コード印刷部２２１は、制御部２１１の制御に基づいて、券媒体１０に、コードを印刷する。ここでは、コード印刷部２２１は、コードとして二次元コードを印刷する。二次元コードは、たとえば、ＱＲコードなどである。コード印刷部２２１が印刷するコードは、特定の構成に限定されるものではない。
【００４７】
たとえば、コード印刷部１２１は、所定のインクを用いて券媒体１０にコードを印刷する。たとえば、コード印刷部１２１は、インクジェットヘッドを備える。コード印刷部１２１は、インクジェットヘッドからインクを券媒体１０に吐出することでコードを印刷する。
【００４８】
また、コード印刷部１２１は、インクとして、可視光で読み取ることが可能なインク（材料）を用いる。即ち、コード印刷部１２１は、可視光で読取可能なコードを券媒体１０に印刷する。  
なお、コード印刷部１２１は、券媒体１０を加熱してコードを印刷してもよい。
【００４９】
放出部２２２は、搬送部２１９が搬送する券媒体１０を外部に放出する。即ち、放出部２２２は、券媒体１０を利用者が取得可能なように外部に放出する。たとえば、放出部２２２は、券媒体１０を外部に放出した状態で保持する機構を備える。  
なお、入場処理機２００は、上述した構成以外の構成要素を適宜追加しても良いし、特定の構成を除外してもよい。
【００５０】
次に、出場処理機３００の構成例について説明する。  
図４は、実施形態に係る出場処理機３００の構成例を示すブロック図である。  
図４が示すように、出場処理機３００は、制御部３１１、通信部３１２、表示部３１３、磁気券処理部３１４、カードリーダライタ３１５、ドア機構３１６、人感センサ３１７、投入部３１８、搬送部３１９、読取部３２０、回収部３２１及び放出部３２２などを備える。制御部３１１は、データバスなどを介して、通信部３１２、表示部３１３、磁気券処理部３１４、カードリーダライタ３１５、ドア機構３１６、人感センサ３１７、投入部３１８、搬送部３１９、読取部３２０、回収部３２１及び放出部３２２と通信可能に接続する。
【００５１】
図１が示すように、搬送部３１９が券媒体１０を搬送する方向に、読取部３２０、及び、放出部３２２の順にそれぞれ設置される。また、搬送部３１９は、読取部３２０と放出部３２２との間で分岐する。回収部３２１は、分岐先に設置される。
【００５２】
通信部３１２、表示部３１３、磁気券処理部３１４、カードリーダライタ３１５、ドア機構３１６、人感センサ３１７、投入部３１８、読取部３２０及び放出部３２２は、通信部２１２、表示部２１３、磁気券処理部２１４、カードリーダライタ２１５、ドア機構２１６、人感センサ２１７、投入部２１８、読取部２２０及び放出部２２２とそれぞれ同様の構成である。
【００５３】
制御部３１１は、出場処理機３００全体の動作を制御する機能を有する。制御部３１１は、ＣＰＵ、ＲＯＭ、ＲＡＭ及びＮＶＭなどから構成される。制御部３１１は、内部メモリ、ＲＯＭあるいはＮＶＭに予め記憶したプログラムを実行することにより種々の処理を実現する。
【００５４】
搬送部３１９は、出場処理機３００内において投入部３１８に投入された券媒体１０を搬送する。たとえば、搬送部３１９は、券媒体１０を投入部３１８から、読取部３２０、及び、放出部３２２へ搬送する。また、搬送部３１９は、券媒体１０を投入部３１８から、読取部３２０、及び、回収部３２１へ搬送する。搬送部３１９は、制御部３１１からの信号に従って、券媒体１０を放出部３２２又は回収部３２１へ搬送する。
【００５５】
回収部３２１は、搬送部３１９が搬送する券媒体１０を回収する。たとえば、回収部３２１は、券媒体１０を受ける受け皿などを備える。たとえば、回収部３２１は、受け皿を外部に取り出し可能な構造を有する。  
なお、出場処理機３００は、上述した構成以外の構成要素を適宜追加しても良いし、特定の構成を除外してもよい。
【００５６】
次に、発券機１００の制御部１１１が実現する機能について説明する。  
制御部１１１は、乗車券情報（券情報）を設定する機能を有する（設定部）。乗車券情報は、利用可能な乗車区間などを示す。たとえば、乗車券情報は、発着駅、有効期間、及び、有効区間などを備える。有効区間は、たとえば、終着駅又は乗車料金などである。乗車券情報は、鉄道会社などの情報を備えてもよい。乗車券情報は、特定の構成に限定されるものではない。
【００５７】
制御部１１１は、券媒体１０を発券する際に、券媒体１０に印刷するコードに含まれる乗車券情報を設定する。たとえば、制御部１１１は、操作部１１４を通じて利用者又は係員から乗車券情報を設定する入力を受け付ける。また、制御部１１１は、図示されないコードリーダなどを通じて乗車券情報を含むコードなどを利用者が所持する携帯端末などから読み取ってもよい。
【００５８】
また、制御部１１１は、券媒体１０の券ＩＤを設定する機能を有する（設定部）。券ＩＤは、券媒体１０をユニークに識別する。たとえば、券ＩＤは、券媒体１０ごとにユニークに決定される。券ＩＤは、たとえば、文字列、数字、記号、又は、それらの組み合わせなどである。
【００５９】
たとえば、制御部１１１は、ランダムに生成した文字列などを券ＩＤとして設定する。また、制御部１１１は、所定のリストから文字列などを取得し、取得された文字列などを券ＩＤとして設定してもよい。また、制御部１１１は、上位装置から券ＩＤを取得してもよい。
【００６０】
また、制御部１１１は、設定された乗車券情報及び設定された券ＩＤを含むコードデータをコード化したコード（第１のコード）を生成する機能を有する（生成部）。たとえば、制御部１１１は、所定のアルゴリズムに従ってコードデータをエンコードして、コードを生成する。なお、制御部１１１は、乗車券情報及び券ＩＤに加えて他のデータも示すコードを生成してもよい。
【００６１】
また、制御部１１１は、文字印刷部１２０を用いて文字情報を券媒体１０に印刷する機能を有する（文字印刷処理部）。たとえば、制御部１１１は、文字情報として、乗車券情報が含む出発駅及び乗車料金などを券媒体１０に印刷する。たとえば、制御部１１１は、乗車券情報の一部を示す文字情報を券媒体１０に印刷してもよい。また、制御部１１１は、乗車券情報以外の文字情報を券媒体１０に印刷してもよい。
【００６２】
また、制御部１１１は、コード印刷部１２１を用いてコードを券媒体１０に印刷する機能を有する（コード印刷処理部）。即ち、制御部１１１は、生成されたコードを券媒体１０に印刷する。制御部１１１は、さらに他のコードを印刷するスペースを空けて券媒体１０にコードを印刷する。即ち、制御部１１１は、生成されたコードと異なるコードが印刷可能な印刷領域（第２の領域）を設け、前記印刷領域以外の領域（第１の領域）に生成されたコードを印刷する。たとえば、制御部１１１は、文字印刷部１２０が印刷した少なくとも一部の文字情報上にコードを印刷する。
【００６３】
なお、制御部１１１は、文字情報を印刷した面の裏面にコードを印刷してもよい。
【００６４】
また、制御部１１１は、券媒体１０に印刷されたコードが適切に印刷されたか判定する機能を有する。たとえば、制御部１１１は、読取部１２２を通じて券媒体１０のコードを読み取り、読み取ったコードをデコードしてデータを取得する。制御部１１１は、取得されたデータと、コードデータとが一致するかを判定する。制御部１１１は、両者が一致すれば、券媒体１０にコードが適切に印刷されたと判定する。
【００６５】
次に、発券機１００が発券した券媒体１０の構成例について説明する。  
図５は、発券機１００が発券した券媒体１０の構成例を示す。  
図５が示すように、券媒体１０は、文字情報１１、コード１２、及びスペース１３などを備える。  
文字情報１１は、制御部１１１が文字印刷部１２０を通じて印刷したものである。図５が示すように、文字情報は、出発駅、乗車料金、下車前途無効の記載、及び、発券日時から構成される。なお、文字情報は、特定の構成に限定されるものではない。
【００６６】
コード１２は、制御部１１１がコード印刷部１２１を通じて印刷したものである。コード１２は、文字情報１１上に印刷される。
【００６７】
スペース１３は、他のコードが印刷可能な領域である。図５が示すように、スペース１３は、文字情報１１及びコード１２に隣接して設けられる。また、スペース１３は、コード１２と同様の大きさのコードが印刷可能な大きさである。なお、スペース１３の大きさは、他のコードが印刷可能であればよく、特定の大きさに限定されるものではない。また、スペース１３の位置は、特定の構成に限定されるものではない。  
なお、スペース１３は、文字情報１１及びコード１２が印刷される面の裏面に形成されてもよい。
【００６８】
次に、入場処理機２００の制御部２１１が実現する機能について説明する。  
制御部２１１は、読取部２２０を通じて券媒体１０からコード１２を読み取る機能を有する。たとえば、制御部２１１は、読取部２２０が出力するコードデータを受信する。
【００６９】
また、制御部２１１は、取得されたコードデータに基づいて入場処理を行う機能を有する（入場処理部）。即ち、制御部２１１は、取得されたコードデータ（たとえば、乗車券情報）に基づいて、ドア機構２１６を制御する。たとえば、制御部２１１は、取得されたコードデータ、入場処理機２００が設置される駅、及び、現日時などに基づいて、利用者が通行可能であるか判定する。制御部２１１は、利用者が通行可能であると判定すると、ドア機構２１６を開放する。また、制御部２１１は、利用者が通行可能でないと判定すると、ドア機構２１６を閉鎖する。
【００７０】
また、制御部２１１は、コードデータが含む券ＩＤ及び乗車券情報と入場情報とをコード化したコード（第２のコード）を生成する機能を有する（生成部）。入場情報は、利用者の入場処理に関連する情報である。たとえば、入場情報は、入場駅又は入場時間などを備える。
【００７１】
たとえば、制御部２１１は、所定のアルゴリズムに従って券ＩＤ、乗車券情報及び入場情報をエンコードして、コードを生成する。なお、制御部１１１は、券ＩＤ、乗車券情報及び入場情報に加えて他のデータも示すコードを生成してもよい。
【００７２】
また、制御部２１１は、コード印刷部２２１を用いてコードを券媒体１０のスペース１３に印刷する機能を有する（コード印刷処理部）。即ち、制御部１１１は、生成されたコードを券媒体１０のスペース１３に印刷する。
【００７３】
また、制御部２１１は、券媒体１０に印刷されたコードが適切に印刷されたか判定する機能を有する。たとえば、制御部２１１は、読取部２２０などを通じて券媒体１０のスペース１３からコードを読み取り、読み取ったコードをデコードしてデータを取得する。制御部２１１は、取得されたデータと、コードにエンコードする前のデータとが一致するかを判定する。制御部２１１は、両者が一致すれば、券媒体１０にコードが適切に印刷されたと判定する。なお、制御部２１１は、図示しない他の読取部を通じて券媒体１０のスペース１３からコードを読み取ってもよい。
【００７４】
次に、入場処理機２００が排出した券媒体１０の構成例について説明する。  
図６は、入場処理機２００が排出した券媒体１０の構成例を示す。  
図６が示すように、券媒体１０は、文字情報１１、コード１２、スペース１３及びコード１４などを備える。  
文字情報１１、コード１２及びスペース１３は、前述の通りである。  
コード１４は、制御部２１１がコード印刷部２２１を通じて印刷したものである。図６が示す例においては、コード１４は、文字情報１１と独立に印刷される。
【００７５】
次に、出場処理機３００の制御部３１１が実現する機能について説明する。  
制御部３１１は、読取部３２０を通じて券媒体１０からコード１４を読み取る機能を有する。たとえば、制御部３１１は、読取部３２０が出力するコードデータを受信する。
【００７６】
また、制御部３１１は、取得されたコードデータに基づいて出場処理を行う機能を有する（出場処理部）。即ち、制御部３１１は、取得されたコードデータ（たとえば、乗車券情報及び入場情報）に基づいて、ドア機構３１６を制御する。たとえば、制御部３１１は、取得されたコードデータ、出場処理機３００が設置される駅、及び、現日時などに基づいて、利用者が通行可能であるか判定する。制御部３１１は、利用者が通行可能であると判定すると、ドア機構３１６を開放する。また、制御部３１１は、利用者が通行可能でないと判定すると、ドア機構３１６を閉鎖する。
【００７７】
次に、発券機１００の動作例について説明する。  
図７は、発券機１００の動作例について説明するためのフローチャートである。  
ここでは、発券機１００の利用者は、操作部１１４を通じて所定の乗車券情報を設定し券媒体１０を発券する発券操作を発券機１００に入力するものとする。
【００７８】
まず、発券機１００の制御部１１１は、操作部１１４を通じて乗車券情報を設定する操作を含む発券操作を受け付けたか判定する（Ｓ１１）。発券操作を受け付けていないと判定すると（Ｓ１１、ＮＯ）、制御部１１１は、Ｓ１１に戻る。発券操作を受け付けたと判定すると（Ｓ１１、ＹＥＳ）、制御部１１１は、券ＩＤを設定する（Ｓ１２）。券ＩＤを設定すると、制御部１１１は、券ＩＤ及び乗車券情報を示すコード１２を生成する（Ｓ１３）。
【００７９】
券ＩＤ及び乗車券情報を示すコード１２を生成すると（Ｓ１３）、制御部１１１は、文字印刷部１２０を通じて乗車券情報を示す文字情報を券媒体１０に印刷する（Ｓ１４）。文字情報を券媒体１０に印刷すると、制御部１１１は、コード印刷部１２１を通じて、Ｓ１３で生成されたコード１２を券媒体１０に印刷する（Ｓ１５）。
【００８０】
コード１２を券媒体１０に印刷すると、制御部１１１は、読取部１２２を通じて券媒体１０からコード１２を読み取る（Ｓ１６）。コード１２を読み取ると、制御部１１１は、読み取ったコードデータに基づいて券媒体１０が適切に発券されたか判定する（Ｓ１７）。
【００８１】
券媒体１０が適切に発券されたと判定すると（Ｓ１７、ＹＥＳ）、制御部１１１は、排出部１２３に券媒体１０を放出する（Ｓ１８）。券媒体１０が適切に発券されていないと判定した場合（Ｓ１７、ＮＯ）、又は、排出部１２３に券媒体１０を放出した場合（Ｓ１８）、制御部１１１は、動作を終了する。  
なお、制御部１１１は、券媒体１０が適切に発券されていないと判定すると、新たな券媒体１０を発券し直してもよい。
【００８２】
次に、入場処理機２００の動作例について説明する。  
図８は、入場処理機２００の動作例について説明するためのフローチャートである。  
まず、入場処理機２００の制御部２１１は、投入部２１８に券媒体１０が投入されたか判定する（Ｓ２１）。投入部２１８に券媒体１０が投入されていないと判定すると（Ｓ２１、ＮＯ）、制御部２１１は、Ｓ２１に戻る。
【００８３】
投入部２１８に券媒体１０が投入されたと判定すると（Ｓ２１、ＹＥＳ）、制御部２１１は、券媒体１０からコード１２を読み取る（Ｓ２２）。券媒体１０からコード１２を読み取ると、制御部２１１は、コード１２が示す乗車券情報などに基づいて入場処理を行う（Ｓ２３）。ここでは、制御部２１１は、入場処理に成功したものとする。
【００８４】
入場処理を実行すると、制御部２１１は、コード１２から得られる券ＩＤ及び乗車券情報と入場情報とを示すコード１４を生成する（Ｓ２４）。
【００８５】
コード１４を生成すると、制御部２１１は、コード印刷部２２１を通じて、生成されたコード１４を券媒体１０のスペース１３に印刷する（Ｓ２５）。コード１４を印刷すると、制御部２１１は、読取部１２２などを通じて券媒体１０のスペース１３からコード１４を読み取る（Ｓ２６）。コード１４を読み取ると、制御部１１１は、読み取ったコード１４をデコードして得られたデータに基づいてコード１４が適切に印刷されたか判定する（Ｓ２７）。
【００８６】
コード１４が適切に印刷されたと判定すると（Ｓ２７、ＹＥＳ）、制御部１１１は、放出部２２２に券媒体１０を放出する（Ｓ２８）。コード１４が適切に発券されていないと判定した場合（Ｓ２７、ＮＯ）、又は、放出部２２２に券媒体１０を放出した場合（Ｓ２８）、制御部２１１は、動作を終了する。
【００８７】
次に、出場処理機３００の動作例について説明する。  
図９は、出場処理機３００の動作例について説明するためのフローチャートである。  
まず、出場処理機３００の制御部３１１は、投入部３１８に券媒体１０が投入されたか判定する（Ｓ３１）。投入部３１８に券媒体１０が投入されていないと判定すると（Ｓ３１、ＮＯ）、制御部３１１は、Ｓ３１に戻る。
【００８８】
投入部２１８に券媒体１０が投入されたと判定すると（Ｓ３１、ＹＥＳ）、制御部３１１は、券媒体１０からコード１４を読み取る（Ｓ３２）。券媒体１０からコード１４を読み取ると、制御部３１１は、コード１４が示す乗車券情報及び入場情報などに基づいて出場処理を行う（Ｓ３３）。
【００８９】
通過を許可すると判定すると（Ｓ３４、ＹＥＳ）、制御部３１１は、券媒体１０を回収部３２１に回収する（Ｓ３５）。通過を許可しないと判定すると（Ｓ３４、ＮＯ）、制御部３１１は、放出部３２２に券媒体１０を放出する（Ｓ３６）
券媒体１０を回収部３２１に回収した場合（Ｓ３５）、又は、放出部３２２に券媒体１０を放出した場合（Ｓ３６）、制御部３１１は、動作を終了する。
【００９０】
以上のように構成された処理システムは、発券時において、他のコードが印刷可能なスペースを空けて券媒体にコードを印刷し発券する。また、処理システムは、入場処理時において、入場情報を含むコードを券媒体に印刷する。また、処理システムは、出場処理時において、入場処理時に印刷されたコードから入場情報を取得し、出場処理を行う。
【００９１】
その結果、処理システムは、出場処理時において、入場情報を含むコードが印刷されていない券媒体を不正な券媒体と判断することができる。その結果、処理システムは、効果的に券媒体の真正をチェックすることができる。
【００９２】
また、処理システムは、入場処理時又は出場処理時において、搬送路上で券媒体からコードを読み取る。その結果、処理システムは、適切な位置でコードを読み取ることができ、コードの読み取りミスを防止することができる。
【００９３】
また、処理システムは、発券時において、文字情報上に不可視のインクを用いてコードを印刷する。その結果、処理システムは、入場処理時において印刷されるコードの領域を券媒体上に確保することができる。また、処理システムは、不可視のインクを用いてコードを印刷することで文字情報を利用者に提示することができる。
（第２実施形態）
次に、第２実施形態に係る処理システムについて説明する。  
第２実施形態に係る処理システムは、管理サーバが券媒体の状態を管理する点で第１実施形態と異なる。従って、その他の点については同一の符号を伏して詳細な説明を省略する。
【００９４】
図１０は、第２実施形態に係る処理システム１’の構成例を示す。  
図１０が示すように、第２実施形態に係る処理システム１’は、発券機１００’、入場処理機２００’、出場処理機３００’及び管理サーバ４００などを備える。
【００９５】
管理サーバ４００（外部装置）は、処理システム１’で処理される券媒体１０の状態を管理する。管理サーバ４００は、発券機１００’、入場処理機２００’及び出場処理機３００’と通信可能に接続する。
【００９６】
管理サーバ４００は、券ＩＤに対応付けて券媒体１０の状態を管理する。たとえば、管理サーバ４００は、発券機１００’、入場処理機２００’又は出場処理機３００’から券ＩＤが示す券媒体１０の状態を示す情報を受信する。また、管理サーバ４００は、発券機１００’、入場処理機２００’又は出場処理機３００’からのリクエストに応じて、券ＩＤが示す券媒体１０の状態を示す情報を送信する。
【００９７】
たとえば、管理サーバ４００は、発券機１００’などから発券した券媒体１０の券ＩＤを受信する。管理サーバ４００は、当該券ＩＤが示す券媒体１０が発券済みであることを示す情報を格納する。また、管理サーバ４００は、入場処理機２００’などからのリクエストに応じて、当該券ＩＤが示す券媒体１０が発券済みであることを示す情報を送信する。
【００９８】
また、管理サーバ４００は、入場処理機２００’などから入場処理済みの券媒体１０の券ＩＤを受信する。管理サーバ４００は、当該券ＩＤが入場処理済みであることを示す情報を格納する。また、管理サーバ４００は、出場処理機３００’などからのリクエストに応じて、当該券ＩＤが示す券媒体１０が入場処理済みであることを示す情報を送信する。
【００９９】
次に、発券機１００’について説明する。  
図２が示すように、発券機１００’は、制御部１１１の代わりに制御部１１１’を備える。制御部１１１’は、制御部１１１と同様の構成である。
【０１００】
制御部１１１’は、制御部１１１が実現する機能に加えて、以下の機能を実現する。  
制御部１１１’は、通信部１１２を通じて、発券した券媒体１０の券ＩＤを、発券済みの券媒体１０を示す券ＩＤとして管理サーバ４００に送信する機能を有する（送信処理部）。たとえば、制御部１１１’は、通信部１１２を通じて、券ＩＤと発券済みであることを示す情報とを対応づけて管理サーバ４００に送信する。
【０１０１】
次に、入場処理機２００’について説明する。  
図３が示すように、入場処理機２００’は、制御部２１１の代わりに制御部２１１’を備える。制御部２１１’は、制御部２１１と同様の構成である。
【０１０２】
制御部２１１’は、制御部２１１が実現する機能に加えて、以下の機能を実現する。  
制御部２１１’は、通信部２１２を通じて、投入部２１８に投入された券媒体１０の状態を管理サーバ４００に問い合わせる機能を実現する（問い合わせ部）。たとえば、制御部２１１’は、券媒体１０の券ＩＤを用いて、管理サーバ４００に券媒体１０の状態を問い合わせる。
【０１０３】
たとえば、制御部２１１’は、通信部２１２を通じて、券媒体１０の券ＩＤを含むリクエストを管理サーバ４００に送信する。制御部２１１’は、通信部２１２を通じて、管理サーバ４００から当該券媒体１０の状態を受信する。
【０１０４】
また、制御部２１１’は、券媒体１０の状態が発券済みである場合に、入場処理を実行する機能を有する（入場処理部）。たとえば、制御部２１１’は、管理サーバ４００から受信された券媒体１０の状態が発券済みでなければ、ドア機構２１６を閉鎖する。また、制御部２１１’は、放出部２２２から券媒体１０を放出してもよい。また、制御部２１１’は、表示部２１３などに投入された券媒体１０が不正な券媒体１０であることを示すメッセージなどを表示してもよい。
【０１０５】
制御部２１１’は、通信部２１２を通じて、入場処理に成功した券媒体１０の券ＩＤを、入場処理済みの券媒体１０を示す券ＩＤとして管理サーバ４００に送信する機能を有する（送信処理部）。たとえば、制御部２１１’は、通信部２１２を通じて、券ＩＤと入場処理済みであることを示す情報とを対応づけて管理サーバ４００に送信する。
【０１０６】
次に、出場処理機３００’について説明する。  
図４が示すように、出場処理機３００’は、制御部３１１の代わりに制御部３１１’を備える。制御部３１１’は、制御部３１１と同様の構成である。
【０１０７】
制御部３１１’は、制御部３１１が実現する機能に加えて、以下の機能を実現する。  
制御部３１１’は、通信部３１２を通じて、投入部３１８に投入された券媒体１０の状態を管理サーバ４００に問い合わせる機能を実現する（問い合わせ部）。たとえば、制御部３１１’は、券媒体１０の券ＩＤを用いて、管理サーバ４００に券媒体１０の状態を問い合わせる。
【０１０８】
たとえば、制御部３１１’は、通信部３１２を通じて、券媒体１０の券ＩＤを含むリクエストを管理サーバ４００に送信する。制御部３１１’は、通信部３１２を通じて、管理サーバ４００から当該券媒体１０の状態を受信する。
【０１０９】
また、制御部３１１’は、券媒体１０の状態が入場処理済みである場合に、出場処理を実行する機能を有する（出場処理部）。たとえば、制御部３１１’は、管理サーバ４００から受信された券媒体１０の状態が入場済みでなければ、ドア機構３１６を閉鎖する。また、制御部３１１’は、放出部３２２から券媒体１０を放出してもよい。また、制御部３１１’は、表示部３１３などに投入された券媒体１０が不正な券媒体１０であることを示すメッセージなどを表示してもよい。
【０１１０】
次に、発券機１００’の動作例について説明する。  
図１１は、発券機１００’の動作例について説明するためのフローチャートである。  
図１１において、Ｓ１１乃至Ｓ１８は、第１実施形態と同様であるため説明を省略する。
【０１１１】
排出部１２３に券媒体１０を放出すると（Ｓ１８）、制御部１１１’は、通信部１１２を通じて、Ｓ１２で設定された券ＩＤを、発券済みの券媒体１０の券ＩＤとして管理サーバ４００へ送信する（Ｓ１９）。券ＩＤを送信すると、制御部１１１’は、動作を終了する。
【０１１２】
次に、入場処理機２００’の動作例について説明する。  
図１２は、入場処理機２００’の動作例について説明するためのフローチャートである。  
図１２において、Ｓ２１乃至Ｓ２８は、第１実施形態と同様であるため説明を省略する。
【０１１３】
券媒体１０からコード１２を読み取ると（Ｓ２２）、制御部２１１’は、通信部２１２を通じて、管理サーバ４００に券媒体１０の状態を問い合わせる（Ｓ４１）。券媒体１０の状態を問い合わせると、制御部２１１’は、券媒体１０の状態が発券済みであるか判定する（Ｓ４２）。
【０１１４】
券媒体１０の状態が発券済みであると判定すると（Ｓ４２、ＹＥＳ）、制御部２１１’は、Ｓ２３に進む。券媒体１０の状態が発券済みでないと判定すると（Ｓ４２、ＮＯ）、制御部２１１’は、動作を終了する。なお、制御部２１１’は、ドア機構２１６などを遮断してもよい。
【０１１５】
放出部２２２に券媒体１０を放出すると（Ｓ２８）、制御部２１１’は、通信部２１２を通じて、券媒体１０から読み取った券ＩＤを、入場処理済みの券媒体１０の券ＩＤとして管理サーバ４００へ送信する（Ｓ４３）。券ＩＤを送信すると、制御部２１１’は、動作を終了する。
【０１１６】
次に、出場処理機３００’の動作例について説明する。  
図１３は、出場処理機３００’の動作例について説明するためのフローチャートである。  
図１３において、Ｓ３１乃至Ｓ３６は、第１実施形態と同様であるため説明を省略する。
【０１１７】
券媒体１０からコード１４を読み取ると（Ｓ３２）、制御部３１１’は、通信部３１２を通じて、管理サーバ４００に券媒体１０の状態を問い合わせる（Ｓ３７）。券媒体１０の状態を問い合わせると、制御部３１１’は、券媒体１０の状態が入場処理済みであるか判定する（Ｓ３８）。
【０１１８】
券媒体１０の状態が入場処理済みであると判定すると（Ｓ３８、ＹＥＳ）、制御部３１１’は、Ｓ３３に進む。券媒体１０の状態が入場処理済みでないと判定すると（Ｓ３８、ＮＯ）、制御部３１１’は、動作を終了する。なお、制御部３１１’は、ドア機構３１６などを遮断してもよい。
【０１１９】
なお、制御部３１１’は、通信部３１２を通じて、出場処理に成功した券媒体１０の券ＩＤを、出場済みの券媒体１０を示す券ＩＤとして管理サーバ４００に送信してもよい。
【０１２０】
以上のように構成された処理システムは、券媒体の状態を管理することができる。そのため、処理システムは、入場処理時において券媒体が発券済みであるかを判定することができ、券媒体が発券済みでない場合には入場判定を不可とする。また、処理システムは、出場処理時において券媒体が入場処理済みであるかを判定することができ、券媒体が入場済みでない場合には出場判定を不可とする。
【０１２１】
その結果、処理システムは、より確実に券媒体の不正をチェックすることができる。
【０１２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２３】
１…処理システム、１０…券媒体、１１…文字情報、１２及び１４…コード、１３…スペース、１００及び１００’…発券機、１１１、１１１’、２１１、２１１’、３１１及び３１１’…制御部、１１９、２１９及び３１９…搬送部、１２０…文字印刷部、１２１及び２２１…コード印刷部、１２２、２２０及び３２０…読取部、２００及び２００’…入場処理機、３００及び３００’…出場処理機、４００…管理サーバ。
【図１】
2017162008.tif 000003
【図２】
2017162008.tif 000004
【図３】
2017162008.tif 000005
【図４】
2017162008.tif 000006
【図５】
2017162008.tif 000007
【図６】
2017162008.tif 000008
【図７】
2017162008.tif 000009
【図８】
2017162008.tif 000010
【図９】
2017162008.tif 000011
【図１０】
2017162008.tif 000012
【図１１】
2017162008.tif 000013
【図１２】
2017162008.tif 000014
【図１３】
2017162008.tif 000015